(57)【要約】【課題】  フェードイン、フェードアウト機能を用いたプログラムのフェード区間を検出し、フェード区間の所定位置に区切り情報を自動設定することができる情報記録再生装置及び情報記録再生方法を提供することにある。【解決手段】  プログラムを情報記録媒体に記録または前記プログラムを前記情報記録媒体から再生する情報記録再生装置において、前記プログラムのフェード期間を検出するフェード検出手段１１と、前記フェード検出手段によって検出された前記フェード期間の所定位置に区切り情報を設定する区切り情報設定手段１４と、前記区切り情報設定手段１４によって設定された前記区切り情報を前記情報記録媒体に記録する記録手段４４、４５とを具備することを特徴とする。【選択図】  図１
2006059387.tif 000002
【特許請求の範囲】
【請求項１】
プログラムを情報記録媒体に記録または前記プログラムを前記情報記録媒体から再生する情報記録再生装置において、
前記プログラムのフェード期間を検出するフェード検出手段と、
前記フェード検出手段によって検出された前記フェード期間の所定位置に区切り情報を設定する区切り情報設定手段と、
前記区切り情報を前記情報記録媒体に記録する記録手段とを具備することを特徴とする情報記録再生装置。
【請求項２】
プログラムを情報記録媒体に記録または前記プログラムを前記情報記録媒体から再生する情報記録再生装置において、
前記プログラムのフェード期間を検出するフェード検出手段と、
前記プログラムの無音期間を検出する無音期間検出手段と、
前記フェード検出手段によって検出された前記フェード期間と前記無音期間検出手段によって検出された前記無音期間とが一致した場合、所定位置に区切り情報を設定する区切り情報設定手段と、
前記区切り情報を前記情報記録媒体に記録する記録手段とを具備することを特徴とする情報記録再生装置。
【請求項３】
前記区切り情報にて分割されるチャプターのサムネイル表示位置は前記所定位置から所定時間遅らせた第１の位置に設定する制御手段を具備すること特徴とする請求項１乃至２のいずれかに記載の情報記録再生装置。
【請求項４】
前記区切り情報にて分割されるチャプターのサムネイル表示位置は前記区切り情報設定以外で設定された既存のサムネイル表示位置から所定時間遅らせた第２の位置に設定する制御手段を具備すること特徴とする請求項１乃至２のいずれかに記載の情報記録再生装置。
【請求項５】
プログラムを情報記録媒体に記録または前記プログラムを前記情報記録媒体から再生する情報記録再生方法において、
前記プログラムのフェード期間を検出し、
検出された前記フェード期間の所定位置に区切り情報を設定し、
前記区切り情報を前記情報記録媒体に記録することを特徴とする情報記録再生方法。
【請求項６】
プログラムを情報記録媒体に記録または前記プログラムを前記情報記録媒体から再生する情報記録再生方法において、
前記プログラムのフェード期間を検出し、
前記プログラムの無音期間を検出し、
検出された前記フェード期間と前記無音期間とが一致した場合、所定位置に区切り情報を設定し、
前記区切り情報を前記情報記録媒体に記録することを特徴とする情報記録再生方法。
【請求項７】
前記区切り情報にて分割されるチャプターのサムネイル表示位置は前記所定位置から所定時間遅らせた第１の位置に設定すること特徴とする請求項５乃至６のいずれかに記載の情報記録再生方法。
【請求項８】
前記区切り情報にて分割されるチャプターのサムネイル表示位置は前記区切り情報設定以外で設定された既存のサムネイル表示位置から所定時間遅らせた第２の位置に設定すること特徴とする請求項５乃至６のいずれかに記載の情報記録再生方法。
【発明の詳細な説明】
【技術分野】
【０００１】
この発明は、ビデオ情報及びオーディオ情報等で構成されるプログラム中において、フェードイン、フェードアウト検出条件に基づいて検出したフェード区間に区切り情報を設定する情報記録再生装置及び情報記録再生方法に関する。
【背景技術】
【０００２】
周知のように、近年では、映像や音声等のデータを書き換え可能な媒体としてのＤＶＤ（Digital Versatile Disk）−ＲＡＭ（記憶容量４．７ＧＢ）、およびＤＶＤ−ＲＡＭドライブが普及し始めている。
【０００３】
また、ＤＶＤ−ＲＡＭドライブの中には、１００ＧＢクラスのハードディスク装置を搭載したものも登場している。ＤＶＤ−ＲＡＭ又はハードディスクに対しては、ＲＴＲ（Real Time Recording）−ＤＶＤの規格に基づき、放送信号をリアルタイム記録することができる。
【０００４】
上記したＤＶＤ−ＲＡＭおよびハードディスク等の媒体の記憶容量は大きく、これら媒体には多数のプログラム（タイトル）、あるいは長時間プログラム（タイトル）を記録することが可能である。長時間のプログラムが記録された場合、ユーザーはプログラム中に区切りの設定を希望すると考えられる。このような要望に対して、例えば、特開２００２−１５２６６６号公報（特許文献１）には、画面上で確認しながら区切りを設定し、これに対応してチャプターを容易に作成することができる方法や特開２００２−２７４１１号公報（特許文献２）においては、画面の変化する箇所でチャプター情報を決定する方法が提案されている
【特許文献１】特開２００２−１５２６６６号公報
【特許文献２】特開２００２−２７４１１号公報
【発明の開示】
【発明が解決しようとする課題】
【０００５】
上記特許文献１に記載の技術によると、画面上で確認しながらでなければチャプターが設定できないという問題がある。例えば、予約録画されたプログラムをチャプター再生しようとしても、事前にユーザーによりチャプターが設定されていなければ、チャプター再生はできない。
【０００６】
また、上記特許文献２に記載の技術によると、画面の変化する箇所でチャプター情報を決定するが、ゆっくりとした場面変化では、チャプターが設定できないという問題がある。例えば、家庭向けビデオカメラで撮影されたプログラムで、ユーザーがフェードイン、フェードアウト機能を用いたプログラムでは、チャプターが設定できないという問題がある。
【０００７】
そこで、本発明は上記の問題を解決するために成されたものであり、フェードイン、フェードアウト機能を用いたプログラムのフェード区間を検出し、フェード区間の所定位置に区切り情報を自動設定することができる情報記録再生装置及び情報記録再生方法。
【課題を解決するための手段】
【０００８】
上記した課題を解決するために、この発明は、プログラムを情報記録媒体に記録または
前記プログラムを前記情報記録媒体から再生する情報記録再生装置において、前記プログラムのフェード期間を検出するフェード検出手段と、前記フェード検出手段によって検出された前記フェード期間の所定位置に区切り情報を設定する区切り情報設定手段と、前記区切り情報を前記情報記録媒体に記録する記録手段とを具備することを特徴とする。
【０００９】
また、プログラムを情報記録媒体に記録または前記プログラムを前記情報記録媒体から再生する情報記録再生装置において、前記プログラムのフェード期間を検出するフェード検出手段と、前記プログラムの無音期間を検出する無音期間検出手段と、前記フェード検出手段によって検出された前記フェード期間と前記無音期間検出手段によって検出された前記無音期間とが一致した場合、所定位置に区切り情報を設定する区切り情報設定手段と、前記区切り情報を前記情報記録媒体に記録する記録手段とを具備することを特徴とする。
【発明の効果】
【００１０】
この発明によれば、ユーザのニーズに対応したプログラム中の所定位置に区切り情報を自動設定することが可能な情報記録再生装置及び情報記録再生方法を提供できる。
【発明を実施するための最良の形態】
【００１１】
以下、この発明の実施例について、図面を参照しながら詳細に説明する。
【００１２】
図１は、本発明の実施の形態に係る情報記録再生装置の概略構成を示すブロック図である。図１に示す情報記録再生装置は、ＤＶＤ又はハードディスクに記録されたプログラム等の情報を再生したり、およびＤＶＤ又はハードディスクにプログラム等の情報を記録したりするものである。
【００１３】
図１に示すように、情報記録再生装置は、ＭＰＵ部１０、表示部１５、デコーダ部２０、エンコーダ部３０、Ａ／Ｖ入力部４０、ＴＶチューナー部４１、ＳＴＣ部（System Time Counter）４２、Ｄ−ＰＲＯ（Data Processor）部４３、一時記憶部（以下、ＨＤＤ（ハードディスクドライブ）と称する）４４、ディスクドライブ部４５、キー入力部４６、Ｖミキシング部４７、フレームメモリ部４８、ＴＶ用Ｄ／Ａ部４９、オーディオ用Ｄ／Ａ部５０、およびセレクタ部５１などを備えている。
【００１４】
ＭＰＵ部１０は、フェード検出部１１、予約録画処理部１２、無音期間検出処理部１３、および区切り情報設定処理部１４等々を備えている。フェード検出部１１は、フェードイン、フェードアウト検出条件に基づき目的のプログラムからフェード区間を検出する。予約録画処理部１２は、キー入力部４６から入力される予約録画情報に基づき目的のプログラムを録画する。無音期間検出処理部１３は、無音期間検出条件に基づき目的のプログラム（録画されるプログラム）から無音期間を検出する。区切り情報設定処理部１４は、区切り情報設定条件に基づき目的のプログラムの無音期間中の所定位置に対して区切り情報を設定する。
【００１５】
エンコーダ部３０は、Ａ／Ｄ部３１、ビデオエンコード部３２、オーディオエンコード部３３、フォーマッタ部３５、バッファメモリ部３６などを備えている。デコーダ部２０は、分離部２１、ビデオデコード部２２、ＳＰデコード部２３、オーディオデコード部２４、およびＶ−ＰＲＯ部２５などを備えている。
【００１６】
録画は、ＨＤＤ４４又はディスクドライブ部４５により行なわれる。例えば、ＨＤＤ４４は、ディスクドライブ部４５によりＤＶＤ−ＲＡＭに録画されるデータと同じデータを記録し、ディスクドライブ部４５（ディスク）単独では難しい特殊処理（タイムシフト、書き込みエラー処理など）を実現可能としている。ＨＤＤ４４は、例えば１００ＧＢのハ
ードディスクドライブである。さらに、このＨＤＤ４４とディスクドライブ部４５の記録先であるＤＶＤ−ＲＡＭを組み合わせることにより、長時間の記録には、大容量のＨＤＤ４４を使用し、長期保存が必要な場合にはＤＶＤ−ＲＡＭを使用することにより、両者の長所をシステムに取り込むことができる。
【００１７】
ビデオ信号の流れは、次のようになる。Ａ／Ｖ入力部４０又はＴＶチューナ部４１で入力された信号がアナログ信号の場合は、入力信号はＡ／Ｄ部３１でデジタル変換される。デジタル変換された入力信号のうちビデオ信号はビデオエンコード部３２へ、オーディオ信号はオーディオエンコード部３３へ入力される。Ａ／Ｖ入力部４０又はＴＶチューナ部４１で入力された信号がデジタル信号の場合は、入力信号のうちビデオ信号はビデオエンコード部３２へ、オーディオ信号はオーディオエンコード部３３へ入力される。ビデオ信号はＭＰＥＧ圧縮され、オーディオ信号はＡＣ３圧縮またはＭＰＥＧオーディオ圧縮がなされる。
【００１８】
ビデオエンコード部３２およびオーディオエンコード部３３から、圧縮データがパック化された場合に２０４８バイトになるようにパケット化されて、フォーマッタ部３５へ入力される。フォーマッタ部３５では、各パケットがパック化され、さらに、多重化され、Ｄ−ＰＲＯ部４３へ送られる。
【００１９】
Ｄ−ＰＲＯ部４３は、例えば１６パック毎に２重にエラー訂正コードを付加し、ＥＣＣ（Error Correction Code）ブロックを形成する。このＤ−ＰＲＯ部４３で生成されたＥＣＣブロックのデータは、ディスクドライブ部４５によりディスクに記録されたり、又はＨＤＤ４４に記録されたりする。
【００２０】
情報記録再生装置では、ＤＶＤに記録されたデータにアクセスする場合において、アクセス（シーク）している間に、とぎれないで再生を続けるために、最低限連続するセクタが必要になってくる。この単位をＣＤＡ(Continues Data aria)という。このＣＤＡは、ＥＣＣブロック単位となっている方が有利である。そのため、ＣＤＡサイズは１６の倍数にし、ファイルシステムでは、このＣＤＡ単位で記録を行っている。ただし、この場合、ディスク内にうまくＣＤＡの大きさの空き領域がない場合などは、別のファイルが使用している短いセクタが、ＣＤＡ内に入り込むことも許している。これにより、ＣＤＡ単位で記録することができる。また、映画などのデータをＤＶＤ−ＲＡＭへ書き込むとき（録画時には）、ＨＤＤ４４にもまったく同じデータを書き込み、さまざまな特殊処理を行うこともできる。
【００２１】
次に、上記説明した情報記録再生装置による編集記録について説明する。ここでは、例えば家庭向けビデオカメラで撮影されたプログラムを情報記録再生装置に複写する際に、プログラム中に自動的にチャプターを設定するケースについて説明する。
【００２２】
まず、複写録画について簡単に説明する。複写録画に必要な複写録画情報は、キー入力部４６を介して入力される。複写録画情報とは、例えば、ＡＶ入力４０でのどの入力を選択する入力チャンネル選択番号、録画指示、録画モード（標準、高精彩）などである。ＡＶ入力４０に入力され、選択されプログラムは、録画開始指示によりＨＤＤ４４又はディスクドライブ部４５により録画させる。
【００２３】
次に、チャプターを設定する区切り情報設定のための記録の処理について図２のフローチャートを参照に説明する。
【００２４】
例えば、家庭向けビデオカメラで撮影されたプログラムを情報記録再生装置に複写して目的のプログラムを取得する（ステップＳ１１）。このとき、フェード検出処理部１１が
、フェード検出条件に基づき目的のプログラムのビデオ信号からフェード期間を検出する（ステップＳ１２、Ｓ１３、Ｓ１４）。
【００２５】
さらに、区切り情報設定処理部１４が、区切り情報設定条件に基づき検出されたフェード期間中の所定位置に対する区切り情報の設定を指示する（ステップＳ１５）。これに対応して、フォーマッタ部３５が、フェード区間の所定位置に区切り情報を設定し、この区切り情報に基づき複数のチャプターで管理されるプログラムをフォーマットし、このプログラムはＨＤＤ４４又はディスクドライブ部４５により記録される（ステップＳ１６）。つまり、区切り情報の前後で、二つのチャプターに分割管理されたプログラムが記録される。以降プログラムが終了するまで繰返す（ステップＳ１７）。
【００２６】
ここで、図２のステップＳ１２乃至１５の処理におけるフェード区間設定と区切り情報設定の方法について、図３を参照して説明する。
【００２７】
図３は、フェードアウトとフェードインを含むプログラムを録画した場合で、白のビデオ信号とプログラムのビデオ信号と比較した差分データと、フェード検出と、区切り情報設定の概念を示す図である。
【００２８】
まず、上記したフェード検出条件について説明する。フェード検出処理部１１は、予め設定されたフェード検出条件を保持している。例えば、フェード検出条件は、ビデオ信号が白一色に近づくビデオ信号の時間変化幅情報である。フェード検出条件は、フェードインと、フェードアウトの２種類の検出条件を持つ。具体的な、フェードアウトでのフェード検出条件は、白のビデオ信号とプログラムのビデオ信号と比較した差分データを保持し、その差分データの時間変化が、時間軸に対し徐々に差分無しに近づき、差分が所定範囲に入った場合、フェードアウトとして検出する。具体的な、フェードインでのフェード検出条件は、白のビデオ信号とプログラムのビデオ信号と比較した差分データを保持し、その差分データが所定範囲内にある状態から、その差分データの時間変化が、時間軸に対し徐々に差分が大きくなる場合、フェードインとして検出する。
【００２９】
続いて、区切り情報設定条件について説明する。区切り情報設定処理部１４は、予め初期設定の区切り情報設定条件を保持している。例えば、区切り情報設定条件は、どのフェード区間にて区切り情報を設定するかの情報である。具体的には、白のビデオ信号とプログラムのビデオ信号と比較した差分データが所定範囲に入っている区間の中間で、区切り情報を設定する。
【００３０】
別な構成例では、無音期間検出がある場合の区切り情報設定の方法について、図４のフローチャートを参照に説明する。
【００３１】
例えば、家庭向けビデオカメラで撮影されたプログラムを情報記録再生装置に複写して目的のプログラムを取得する（ステップＳ２１）。このとき、フェード検出処理部１１が、フェード検出条件に基づき目的のプログラムのビデオ信号からフェード期間を検出する（ステップＳ２２、Ｓ２３、Ｓ２４）。フェード検出条件に基づき目的のプログラムのビデオ信号からフェード期間を検出するが（ステップＳ１４）、無音期間検出処理部１３にてプログラム内の音声データから無音期間とフェード期間が一致した場合のみ（ステップＳ２５）、区切り情報設定処理部１４が区切り情報設定条件に基づき検出されたフェード期間中の所定位置に対する区切り情報の設定を指示する（ステップＳ２６）。これは、白い壁を徐々に撮影されたプログラムであると、実際にはフェードアウト操作は行われていないが、白のビデオ信号とプログラムのビデオ信号と比較した差分データが、フェードアウトと区別が困難となる。このため、音声のフェードアウトも検知して、より正確なフェードアウトを検出するためである。
【００３２】
次に、サムネイル表示情報設定の方法について、図５のフローチャートと、図６のサムネイル表示位置設定の概念図を参照に説明する。
【００３３】
図５及び図６に示すように、家庭向けビデオカメラで撮影されたプログラムを情報記録再生装置に複写して目的のプログラムを取得した後、区切り情報にてチャプターに分割管理されるが（ステップＳ３１、Ｓ３２）、その場合のサムネイル位置は、区切り位置、つまりチャプター開始位置の映像をサムネイルとすると、まっ白の映像となり、利用者にとっては、どのシーンであるかを、サムネイルから判断することが出来ない。そこで、通常のサムネイルでない場合（ステップＳ３３のＮ）、ＭＰＵ部１０はサムネイル位置（第1のサムネイル）をチャプター開始位置から所定時間遅らせた位置に設定する（ステップＳ３４）。
【００３４】
また、通常のチャプターのサムネイル位置（通常のサムネイル）より（ステップＳ３３のＹ）、フェード検出によるチャプター機能にて作成された場合のチャプターでは、ＭＰＵ部１０はサムネイル位置（第２のサムネイル）を所定時間遅らせて設定する（ステップＳ３５）。
【００３５】
以上説明したように、録画されたプログラム中には所定の位置に区切り情報が設定され、録画されたプログラムは複数のチャプターで管理されることになる。つまり、ユーザーは、録画されたプログラムを再生しながら区切り情報を設定しなくても、録画されたプログラムを即座に区切り情報を利用して再生することができる。区切り情報は、フェードアウトや、フェードインでのビデオ信号のシーン変化により設定されているので、区切り情報を利用して簡単にスキップ再生することができる（チャプター再生）。
【００３６】
また、本実施の形態においては、フェード検出条件を、ビデオ信号が白一色に近づくビデオ信号の時間変化幅情報としていたが、もちろんビデオ信号が黒一色に近づくビデオ信号の時間変化幅情報をフェード検出条件とすることも可能である。例えば、フェード検出条件は、ビデオ信号が黒一色に近づくビデオ信号の時間変化幅情報である。フェード検出条件は、フェードインと、フェードアウトの２種類の検出条件を持つ。具体的な、フェードアウトでのフェード検出条件は、ビデオ信号を保持し、そのビデオ信号の時間変化が、時間軸に対し徐々に差分無しに近づき、差分が所定範囲に入った場合、フェードアウトとして検出する。具体的な、フェードインでのフェード検出条件は、ビデオ信号を保持し、そのビデオ信号が所定範囲内にある状態から、そのビデオ信号の時間変化が、時間軸に対し徐々に差分が大きくなる場合、フェードインとして検出する。
【００３７】
なお、本発明は、上記実施形態に限定されるものではなく、実施段階では、その要旨を逸脱しない範囲で種々に変形することが可能である。
【図面の簡単な説明】
【００３８】
【図１】本発明の実施の形態による情報記録再生装置の概略構成図。
【図２】同実施の形態に係る情報記録再生装置の区切り情報設定の方法を示すフローチャート。
【図３】同実施の形態に係る情報記録再生装置のフェードアウトとフェードインを含むプログラムを録画した場合で、白のビデオ信号とプログラムのビデオ信号と比較した差分データと、フェード検出と、区切り情報設定の概念図。
【図４】同実施の形態に係る情報記録再生装置にて無音検出がある場合の区切り情報設定の方法を示すフローチャート。
【図５】同実施の形態にかかわる情報記録再生装置にてサムネイル表示情報設定の方法を示すフローチャート。
【図６】同実施の形態にかかわる情報記録再生装置のサムネイル表示位置設定の概念図。
【符号の説明】
【００３９】
１０  ＭＰＵ部
１１  フェード検出部
１２  予約録画処理部
１３  無音期間検出処理部
１４  区切り情報設定処理部
２０  デコーダ部
３０  エンコーダ部
４０  Ａ／Ｖ入力部
４１  ＴＶチューナー部
４２  ＳＴＣ部（System Time Counter）
４３  Ｄ−ＰＲＯ（Data Processor）部
４４  一時記憶部（ＨＤＤ）
４５  ディスクドライブ部
４６  キー入力部
【図１】
2006059387.tif 000003
【図２】
2006059387.tif 000004
【図３】
2006059387.tif 000005
【図４】
2006059387.tif 000006
【図５】
2006059387.tif 000007
【図６】
2006059387.tif 000008